(57)【要約】【課題】  戒名等を彫り込む短冊状の石板を、墓誌本体にスムーズに嵌め込んだりはずしたりできる墓誌を提供すること。【解決手段】  短冊状の石板を斜め下から墓誌本体に嵌め込む構造としつつ、嵌め込む石板表面を飛び出た部分のない滑らかな構造とした墓誌。  本発明の墓誌では、石板を嵌め込んだり、取り外したり、その順序を変えたりすることがスムーズにできる上に、地震などの際、石板がはずれたり、墓誌本体が分解したりする可能性が無い。【選択図】  図１
2018062775.tif 000002
【特許請求の範囲】
【請求項１】
墓誌本体と、本体に嵌め込む短冊状の石板と、台座からなり、墓誌本体は、その表の面及び／又は裏の面が周囲を縁取る形で中が窪んでいて、上部縁取り部にほぼ全長にわたり下方向に開口された凹部と、下部縁取り部にほぼ全長にわたりに上方向に開口された凹部を有し、短冊状の石板が、縦断面略長方形で、斜め下から墓誌本体の上凹部に向かって差し込み、充分に差し込んでから下に移動することで墓誌本体に嵌め込まれるようにした、墓誌。
【請求項２】
墓誌本体の窪みの大部分が平らで、窪み上部が、奥に向かって傾斜している請求項１の墓誌。
【請求項３】
墓誌本体の窪みの大部分が平らで、窪み上部の一部が、奥に向かって傾斜している請求項１の墓誌。
【請求項４】
墓誌本体の窪みの大部分が平らで、窪み上部の全部又は一部に貫通部分を有する請求項１の墓誌。
【請求項５】
短冊状石板の表側上部及び／又は裏側上部が、面取りされた、請求項１から４のいずれか１項に記載の墓誌。
【請求項６】
短冊状石板の裏側上部が、斜めに切り取られた、請求項１から５のいずれか１項に記載の墓誌。
【請求項７】
下部凹部の外側壁部分に水抜き用の切欠きを有する請求項１から６のいずれか一項に記載の墓誌。  
【発明の詳細な説明】
【技術分野】
【０００１】
本発明は、墓誌に関する。更に詳しくは、戒名などを彫り込む短冊状の石板を、墓誌本体に嵌め込んだり、外したりできる墓誌に関する。
【背景技術】
【０００２】
墓地において、墓石の脇に建っていて、生没年や戒名などが記載されている石板が墓誌である。墓誌は、戒名碑や霊標と呼ばれることもある。この墓誌に、生没年や戒名等を彫り込む際、通常は、墓誌を石材工場に運ぶか、字彫り機械を持った技術者が現地へ出向く必要がある。しかし、墓誌は大変重く、文字を彫り込むために墓誌を石材工場に運搬しようにも、大変な労力がかかる。現地で文字を彫り込むにも、機械が重い上に、技術者が出張する手間がかかる。
さらに、石に直接彫り込む方式では、戒名を彫り込むことを忘れて、次の戒名を先に彫り込んでしまった場合、後から、戒名と戒名の間に割り込んで、彫り忘れた戒名を彫り込むことができず不便である。また、墓誌は、表の面の右から左へ順番に戒名を彫り込み、表の面が一杯になったら、裏の面に彫り込んでいくことが多い。しかし、これでは、表の面が一杯になった場合、新しい戒名は裏に彫り込まれることになり、最近亡くなった身近な人の戒名ほど、墓誌の裏の面に記載されることとなり不都合である。
【０００３】
これら不都合を解消するものとして、墓誌に直接、文字を彫り込まない、例えば、戒名を短冊状の薄板に彫り込んで、この薄板をスライドさせて、墓誌に嵌め込むものや（特許文献１）や、縦溝を形成してこれに、戒名等を彫り込んだ部材を嵌め込むもの（特許文献２）が知られている。
これらは、墓誌を石材店へ運んだり、技術者が字彫り機械を持って墓地に出向くという手間を省くことはできる。しかし、構造がやや複雑で、戒名を記載した薄板や部材を出し入れしたり、順序を入れ換えたりするさいに、スムーズに作業できなかったり、応力集中がおきて墓誌本体や嵌め込む石板にひびが入りやすかったりして、実用化には不十分なものであった。
【先行技術文献】
【特許文献】
【０００４】
【特許文献１】公開実用平成３−８０８６１号公報
【特許文献２】特開２０００−１７８９３号公報
【発明の概要】
【発明が解決しようとする課題】
【０００５】
本発明の目的は、その構造が簡単で、戒名等を記載した短冊状の石板の出し入れや、順序変更が容易にでき、ひびなどの破損がおきにくい墓誌を提供することである。
【課題を解決するための手段】
【０００６】
本発明者は、短冊状の石板を斜め下から墓誌本体に嵌め込む構造としつつ、嵌め込む石板表面を角張った部分ができるだけ少ない滑らかな構造とすることで本発明に到達した。即ち、本発明は以下のとおりである。
１．墓誌本体と、本体に嵌め込む短冊状の石板と、台座からなり、墓誌本体は、その表の面及び／又は裏の面が周囲を縁取る形で中が窪んでいて、上部縁取り部にほぼ全長にわたり下方向に開口された凹部と、下部縁取り部にほぼ全長にわたりに上方向に開口された凹部を有し、短冊状の石板が、縦断面略長方形で、斜め下から墓誌本体の上凹部に向かって差し込み、充分に差し込んでから下に移動することで墓誌本体に嵌め込まれるようにした、墓誌。
２．墓誌本体の窪みの大部分が平らで、窪み上部が、奥に向かって傾斜している前記１の墓誌。
３．墓誌本体の窪みの大部分が平らで、窪み上部の一部が、奥に向かって傾斜している前記１の墓誌。
４．墓誌本体の窪みの大部分が平らで、窪み上部の全部又は一部に貫通部分を有する前記１の墓誌。
５．短冊状石板の表側上部及び／又は裏側上部が、面取りされた、前記１から４のいずれか１に記載の墓誌。
６．短冊状石板の裏側上部が、斜めに切り取られた、前記１から５のいずれか１に記載の墓誌。
７．下部凹部の外側壁部分に水抜き用の切欠きを有する前記１から６のいずれか一に記載の墓誌。
【発明の効果】
【０００７】
本発明の墓誌では、戒名等を記載した短冊状の石板の嵌め込み・取り外しや順序の入れ替えがスムーズにできて、ひびなどの破損もおきにくい。さらに、地震が起こっても、石板がはずれにくい、という効果が期待できる。
【図面の簡単な説明】
【０００８】
【図１】墓誌を示した図である。Ａは墓誌の斜視図、Ｂは中心を上から下へ切断したときの切断部端面図を示す。
【図２】墓誌本体を示した図である。Ａは墓誌本体の斜視図、Ｂは中心を上から下へ切断したときの切断部端面図を示す。
【図３】墓誌本体に嵌め込む短冊状の石板を示した図である。Ａは石板の斜視図、Ｂは縦断面図を示す。
【図４】墓誌本体を示した図である。Ａは墓誌本体の斜視図、Ｂは中心を上から下へ切断したときの切断部端面図を示す。
【発明を実施するための形態】
【０００９】
以下で本発明を説明する。なお、図1〜４は実施例である。
【００１０】
墓誌は、墓誌本体（図１Ａ（１））、戒名等を彫り込む短冊状の石板（２）、台座（３）からなる。
墓誌本体（図２Ａ、Ｂ）は、一枚の石板からできていてもよいし、複数の石板の組合せでできていてもよいが、一枚の石板からできているのがより好ましい。1枚の石板からできていれば、複数の石板を組み立てる手間を省くことができるし、地震のときの揺れで墓誌本体が分解してしまうことがない。墓誌本体の石板を嵌め込む面は窪んでいるが（図２Ａ、Ｂ（５））、長方形状の縁取りを残して、浅く窪んでいるのが好ましい。例えば、長方形の縁取りを残して、平板状に窪んでいる。
【００１１】
さらに窪みの大部分は平らであるが、窪み上部が奥に向かって傾斜していることが好ましい（図２Ａ（７））。こうすることで、短冊状石板を斜め下から嵌め込む際に、墓誌本体の窪みの奥に石板がぶつかって嵌め込めにくいということがなくなる。傾斜角度は、石板が嵌め込みにくいことを回避できれば制限はない。窪み上部の一部が傾斜するのがより好ましいが、窪み上部の一部とは、横方向の全長にわたるのでなく、その一部で、窪み上部が傾斜していることを意味する。墓石の中央付近に石板１〜３枚分の幅で、傾斜しているのが特に好ましい（図２Ａ（７））。傾斜していない残りの一部は石の厚さが厚くなり、墓誌本体の強度が高くなる。なお、一部しか傾斜していないときは、その傾斜している一部から石板を嵌め込んで、嵌め込んだ石板を横へ平行移動することで、石板を配置する。
【００１２】
窪み上部の全部又は一部に、貫通部分を有していてもよい（図４Ａ（８））。貫通部分があれば、傾斜しているときと同様、短冊状石板を斜め下から嵌め込む際に、墓誌本体の窪みの奥に石板がぶつかって嵌め込めにくいということがなくなる。貫通部分は、傾斜している場合と同様、横方向の一部が貫通していることが好ましく、墓石の中央付近に石板１〜３枚分の幅で貫通している（図４Ａ（８））のがより好ましい。一部しか貫通していないことで、墓誌本体の強度が高くなる。また、傾斜加工と比較して、貫通させる方が、石の加工が容易という利点がある。さらに、風が通りやすく、墓誌が乾きやすいという利点もある。
【００１３】
縁取りは上下左右に、窪みの周囲を囲んで存在するが、上部縁取りには、下方向に開放された凹部（図２Ｂ（９））が、ほぼ全長にわたり形成され、下部縁取りには上方向に開放された凹部（図２Ｂ（１０））が、ほぼ全長にわたり形成されて、短冊状の石板が嵌め込めるようになっている。石板を嵌め込むときは、石板を斜め下から、墓誌本体の上凹部に差し込んで、充分に差し込んだところで下に移動させて、下凹部に、石板下部を嵌め込ようにする。
【００１４】
縁取りの幅や、窪みの深さに特に制限はないが、墓誌本体の強度やデザイン性を考慮して、これらの値が決められるのが好ましい。例えば、左右の縁取りの幅は１〜２ｃｍ、上下の縁取りの幅も１〜２ｃｍとしてもよい。また、上下と左右の縁取りの幅は、それぞれ揃っていた方が、より好ましい。特に左右は重量バランスが崩れないように揃っていた方が好ましい。また、窪みの形が、長方形であれば、短冊状の石板を隙間なく嵌め込むことができ、石板が横転したり、左右に動いたりする不都合が無くなり好ましい。
【００１５】
窪みは、表の面のみあってもよいが、表の面と裏の面の両方が窪んでいて、両面に石板を嵌め込める（図２Ｂ）のがより好ましい。表の面、裏の面両方に、石板を嵌め込むことがで、一つの墓誌に、より多くの戒名を記載することができる。
【００１６】
短冊状の石板は、縦断面が略長方形である（図３Ｂ）。石板の表側上部や裏側上部が面取りされているのが好ましい。面取りされていれば、石板を墓誌本体にスムーズに嵌め込むことができる。
短冊状石板裏側上部が斜めに切り取られているのが好ましい。この切り取り方は直線状に切り取ってもよいし、やや丸みを帯びていてもよい。角を切り取ることで、石板を斜め下から墓誌本体に嵌め込むときに、墓誌本体の窪み（図２Ａ（５））の底に石板の角がぶつかって、嵌め込みにくいということがなくなる。
【００１７】
また、鴨居に嵌め込むふすまや障子のような構造であれば、石板表面には階段状の飛び出た部分ができてしまうが、本発明の石板の表面には、飛び出た部分がなく滑らかな平面状になっている（図３Ａ、Ｂ）ので、嵌め込む際に、石板が、上凹部の外側壁部分（図２Ｂ（６））に接触しにくく、石板を墓誌本体にスムーズに嵌め込むことができる。
【００１８】
また、本発明では、底辺の一部で、自重を支えるのではなく、石板の底辺全体が接地（接墓誌本体）して、自重を支えている（図１Ｂ）ので、嵌め込んだ石板の安定性が高い。すなわち、地震の揺れで、石板がはずれてしまう可能性は小さい。この接地部分には、墓誌本体、石板のいずれかあるいは両方に、滑り止め加工を施し、さらに摩擦力を高めて、地震の際、はすれにくくすることも可能である。
【００１９】
墓誌本体下部には、台座がとりつけられるが、台座は、通常使われるものであれば、どのような形のものでも構わない。
【００２０】
本発明は、石板が下凹部の底に密着しており、下凹部の前後左右も隙間が少ないので（図１Ｂ）、水がたまりにくい構造となっているが、さらに水をたまりにくくするために、水抜き用の切欠き（図１Ａ（４））を設けてもよい。水抜き用の切欠きは、下部凹部の外側壁部分の、どの場所に何個設けてもよいが、目立たないように、両端付近に、ひとつずつ、凹部の底まで掘り下げるように形成されるのが好ましい。また、切欠きの位置は、デザイン上、切欠きから石板の境目が見えないよう、石板の境目と一致しないようにするのが好ましい。
【００２１】
本発明の墓誌本体は、例えば、以下のように製造する。まず、切削された一枚板を六面磨き加工して、長方形の墓誌本体の原型を作る。これを、縁を残す形で掘り下げて、その後、上下の縁部分に、石板を嵌め込む凹部を形成するよう、掘り下げた面から、上部は上に向かって、下部は下に向かって、表の面を残して掘り進む。その後、全体を磨き加工する。
水抜きを作る場合は、下部凹部の、外側壁部分の一部を掘って取り除き、切り欠きを作る。
【００２２】
本発明の墓誌は、石板が、ほぼ隙間なく、嵌め込まれた状態で、墓地に設置される。ほぼ隙間なく嵌め込んでいるので、石板は横転しない。幅の決まった縦溝に石板を嵌め込むむものではないので、石板の幅は任意に設定できるし、戒名の順序を変更するときは、石板をはずしたり、横移動させたりして行う。石板を動かすときは、吸盤を石板に吸い付けるとやりやすい。
【産業上の利用可能性】
【００２３】
本発明の墓誌によれば、戒名を彫り込んだ石板をスムーズに嵌め込んだり、外したりできるので、戒名部分を取り外すことのできる使い勝手の良い墓誌の普及に資することができ、有用である。
【符号の説明】
【００２４】
１  墓誌本体
２  短冊状の石板
３  台座
４  水抜き用の切欠き
５  石板を嵌め込むための窪み
６  縁取り上凹部外側壁部分
７  窪み上部傾斜部分
８  窪み上部貫通部分
９  上部縁取り凹部
１０  下部縁取り下凹部
【図１】
2018062775.tif 000003
【図２】
2018062775.tif 000004
【図３】
2018062775.tif 000005
【図４】
2018062775.tif 000006
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
墓誌本体と、本体に嵌め込む短冊状の石板と、台座からなり、墓誌本体は、その表の面及び／又は裏の面が周囲を縁取る形で中が窪んでいて、その窪みの大部分が平らで、窪み上部の全部又は一部に貫通部分を有し、上部縁取り部にほぼ全長にわたり下方向に開口された凹部と、下部縁取り部にほぼ全長にわたりに上方向に開口された凹部を有し、短冊状の石板が、縦断面略長方形で、斜め下から墓誌本体の上凹部に向かって差し込み、充分に差し込んでから下に移動することで墓誌本体に嵌め込まれるようにした、墓誌。
【請求項２】
短冊状石板の表側上部及び／又は裏側上部が、面取りされた、請求項１に記載の墓誌。
【請求項３】
短冊状石板の裏側上部が、斜めに切り取られた、請求項１又は２に記載の墓誌。
【請求項４】
下部凹部の外側壁部分に水抜き用の切欠きを有する請求項１から３のいずれか一項に記載の墓誌。